(57)【要約】      （修正有）【課題】停電時、携帯など機能を兼ね備えた移動式ＬＥＤ応急灯管を提供する。【解決手段】ランプハウジング５、ランプソケット３、ランプ板６、ＬＥＤランプ４、リチウム電池７、回路板１１、スイッチ１、充電及び作動インジケーター２からなり、円筒状ランプハウジング５内にランプ板６を設置し、ランプ板６上には複数のＬＥＤランプ４を設置する。さらに、ランプハウジング５側面にはスイッチ１、充電及び作動インジケーター２を設置し、ランプハウジング５内部には回路板１１、リチウム電池７を設置し、回路板１１上にはＤＣ−ＤＣ定電流電源モジュール８、リチウム電池充電管理モジュール９、スマートモジュール１０を備え、ランプハウジング５両端にはランプソケット３を設置する。停電時には、電源を電池に切り替えて照明し、また、必要に応じてランプソケットから外して携帯使用可能とする。【選択図】図２
0003172228.tif 000002
【実用新案登録請求の範囲】
【請求項１】
ランプハウジング、ランプソケット、LEDランプ、ランプ板、リチウム電池、回路板、スイッチ、充電及び作動インジケーターからなり、
該ランプハウジングは、円筒状で、該ランプハウジング内側方は、ランプ板を設置し、
該ランプ板上には、数個のLEDランプを設置し、
該ランプハウジング側面には、スイッチ、充電及び作動インジケーターを設置し、該ランプハウジング内部には、回路板とリチウム電池を設置し、
該回路板上には、外部の市内電源からの電流を整流してLEDランプの作動電圧に調整するDC-DC定電流電源モジュール、外部電源から内蔵電源への充電電流を制御するリチウム電池充電管理モジュール、外部電源の有無を検出して内部電源との切換を制御する電源切換管理モジュール備え、
該ランプハウジング両端には、ランプソケットを設置したことを特徴とする移動式LED応急灯管。
【請求項２】
前記LEDランプは、直径5mmの挿入ピン型とSMD型の２種で、
該ランプ板上面には、8乃至400個のLEDランプを設置したことを特徴とする請求項１に記載の移動式LED応急灯管。
【考案の詳細な説明】
【技術分野】
【０００１】
本考案は、電子照明設備に関し、特に便利に使用できる移動式LED応急灯管に関する。
【背景技術】
【０００２】
現在市販されている灯管は、単一の作用しか持たない。
基本的なものは、蛍光灯管で、これは環境保護効果がなく、性能が低い。
さらに、突然の停電、或いは故障発生時には作動しないため、もともと明るかったところが突然真っ暗闇に陥ってしまう。
しかも、この種の照明具の使用寿命は、一般に5000時間程度で、作動時には大量の熱を発するため、表面温度は60℃以上に達する。
さらに、そのスペクトラム中には、紫外線と赤外線を含むため、人体に有害で、灯管体は普通はガラス製であるため、割れやすく、耐久性が低い。
本考案は、従来の灯管の上記した欠点に鑑みてなされたものである。
【先行技術文献】
【特許文献】
【０００３】
【特許文献１】特開２０１０−２６７６０５号公報
【考案の概要】
【考案が解決しようとする課題】
【０００４】
本考案が解決しようとする課題は、高級感とトレンド感のあるデザインで、使用が簡単であり、設置が便利なLED応急灯管で、正常状態下では、灯管上のスイッチを正常な灯管シフトに操作して照明機能を実現し、停電状態下では、電源切換管理モジュールによる制御を通して、応急照明機能を実現し、取り外して移動式照明設備機能を達成し、同時にリモコン機能を備えるため、リモコンを通してランプの状態を操作でき、表面には拡散マスクを採用するためグレアの問題を低減でき、発する光は非常に均一、柔和で、目を刺激せず、LEDランプの作動が安定するため、使用寿命を大幅に延長でき、安全、環境保護、省エネ、防火機能を備え、普及に有利である便利に使用できる移動式LED応急灯管を提供することである。
【課題を解決するための手段】
【０００５】
上記課題を解決するため、本考案は下記の便利に使用できる移動式LED応急灯管を提供する。
便利に使用できる移動式LED応急灯管は、棒状の円形ランプハウジング、両端プラグ、ランプ板、LEDランプ、リチウム電池、回路板、スイッチからなり、
該ランプハウジングは、円柱形状で、該ランプハウジング頂端内平面には、ランプ板を設置し、
該ランプ板上には、数個のLEDランプを設置し、該LEDランプは、挿入ピン型(直径5mm)とSMD型(表面実装型)の２種で、
該ランプ板上面には、8-400個のLEDランプを設置し、
該ランプハウジング側面には、スイッチを設置し、該ランプハウジング内部には、回路板とリチウム電池を設置し、
該回路板上には、DC-DC定電流電源モジュール、リチウム電池充電管理モジュール、電源切換管理モジュールを備え、
該ランプハウジングの両端プラグは、G12などの国際規格Gシリーズのランプソケットで、電源がAC 85-265Vの交流電源である蛍光灯台上に挿入して回し、
本考案の作動方式は、市内電源がある時には、ランプ内の電源切換管理モジュールにより、市内電源交流アダプタを自動的に起動して給電を受け、
停電時には、電源切換管理モジュールが停電を探知すると、直ちにランプ内の定電流給電部分を起動し、LEDランプに給電し、外部電源から内蔵する電源への切換えをスムーズに実行することができ、
こうして、LEDランプは環境にやさしい柔和な光線を発し、移動式応急灯管の機能を実現し、
ハウジングのソケットを操作して、照明具をソケットから取り外した時には、スイッチをオンにし、リチウム電池の電力をLEDランプに供給して発光させ、携帯式応急照明設備として使用する目的を達成することができる。
【考案の効果】
【０００６】
本考案の便利に使用できる移動式LED応急灯管は、高級感とトレンド感のあるデザインで、使用が簡単で信頼性が高く、設置と携帯が共に便利で、集灯光照明と応急照明の機能を兼ね備え、安全で、環境保護と省エネ効果を備え、使用寿命が長く、普及に有利で、いくつもの機能を兼ね備えるため、使用において極めて便利で、店舗、ホテル、展示室、大型商店、オフィス、倉庫、公共場所、家庭等に幅広く応用でき、停電、火災、地震等の突発性災害、事故が発生した時には、人員の誘導と消防作業に緊急照明を提供することができる。
【図面の簡単な説明】
【０００７】
【図１】本考案全体構造の模式図である。
【図２】本考案仰視構造の模式図である。
【図３】本考案回路原理のブロックチャートである。
【考案を実施するための形態】
【０００８】
以下に図面を参照しながら本考案を実施するための最良の形態について詳細に説明する。
【実施例】
【０００９】
本考案は、ランプハウジング5、ランプソケット3、LEDランプ4、ランプ板6、リチウム電池7、回路板11、スイッチ1、充電及び作動インジケーター2からなる。
【００１０】
該ランプハウジング5は、円筒状で、該ランプハウジング5断面の内部一方側には、LEDランプ4を搭載するランプ板6を設置する。
【００１１】
該ランプ板6上には、数個のLEDランプ4を設置する。該LEDランプ4には、挿入ピン(直径5mm)型とSMD型の２種があり、該ランプ板6上面には、8-400個のLEDランプを設置する。
【００１２】
該ランプハウジング5側面には、スイッチ1、充電及び作動インジケーター2を設置し、ランプハウジング5内部には、回路板11とリチウム電池7を設置する。
【００１３】
該回路板11上には、外部の市内電源からの電流を整流してLEDランプの作動電圧に調整するDC-DC定電流電源モジュール8、外部電源から内蔵電源への充電電流を制御するリチウム電池充電管理モジュール9、外部電源の有無を検出して内部電源との切換を制御する電源切換管理モジュール10を備え、該ランプハウジング5両端には、ランプソケットを設置し、電源コンセントに挿入する。
【００１４】
本考案の作動方式を以下に説明する。
市内電源がある時には、ランプ内の電源切換管理モジュールにより、市内電源からの給電を自動的に受けるように電源を選択して給電を受ける。
【００１５】
停電時には、該電源切換管理モジュールが停電を探知すると、直ちに電源をランプ内の内蔵電源に切り替えてLEDランプに給電し、外部電源からリチウム電池による内蔵電源への切換えをスムーズに実行する。
【００１６】
また、ハウジングのソケットを操作して、照明具を取り外した時には、内蔵電源のスイッチをオンにし、リチウム電池の電力をLEDランプに供給して発光させ、携帯式応急照明設備として使用する目的を達成することができる。
こうして、LEDランプはこれらの状況において環境にやさしい柔和な光線を発し、移動式応急灯管の機能を実現する。
【００１７】
上記の本考案名称と内容は、本考案技術内容の説明に用いたのみで、本考案を限定するものではない。本考案の精神に基づく等価応用或いは部品(構造)の転換、置換、数量の増減はすべて、本考案の保護範囲に含むものとする。
【産業上の利用可能性】
【００１８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１９】
1  スイッチ
2  充電及び作動インジケーター
3  ランプソケット
4  LEDランプ
5  ランプハウジング
6  ランプ板
7  リチウム電池
8  DC-DC定電流電源モジュール
9  リチウム電池充電管理モジュール
10  電源切換管理モジュール
11  回路板
【図１】
0003172228.tif 000003
【図２】
0003172228.tif 000004
【図３】
0003172228.tif 000005